(57)【要約】【課題】冷蔵保存又は冷凍保存された食品をマイクロ波加熱する場合に、加熱むらを抑制するとともに、食品の食感や食味を損なうことない、食品保存用容器を提供すること。【解決手段】食品保存用容器１は、底部２と底部２の四辺を囲む側壁部３と、側壁部３の上端に形成されたフランジ部４とからなる、上部が開口した箱状体である。底部２は、液溜めとなる複数の凹部２１と、隣接する凹部２１間に形成された凸部２２とを有する。側壁部３は、容器１のフランジ部４から底部２に向かって垂直方向に、複数の流路３１が形成されている。流路３１は、側壁部３が隆起した凸状の尾根部３２の間に形成されており、側壁部３において溝状に形成される。【選択図】図１
2017105540.tif 000002
【特許請求の範囲】
【請求項１】
底部と側壁部とからなり上部が開口した食品保存用容器であって、
前記側壁部には、気体又は液体の流路が形成され、
前記底部は、凹部と凸部とを備え、前記凹部と凸部とにより、前記流路を流れる気体又は液体が循環し又は滞留する循環滞留部が形成された、食品保存用容器。
【請求項２】
前記流路は、前記底部に向かって形成された溝状である、請求項１の食品保存用容器。
【請求項３】
互いに隣接する前記凸部の頂点間距離が１〜９ｍｍである、請求項２の食品保存用容器。
【請求項４】
前記凹部の深さが０．７〜３ｍｍである、請求項３の食品保存用容器。
【請求項５】
前記凹部により形成される凹部空間の体積は、前記底部の投影面積１００ｃｍ2あたり１〜２５ｃｍ3である、請求項３又は４の食品保存用容器。
【請求項６】
前記底面の表面積は、底面の投影面積の１．５倍以上である、請求項３〜５のいずれか１項の食品保存用容器。
【発明の詳細な説明】
【技術分野】
【０００１】
本発明は、食品を保存でき且つマイクロ波加熱するのに適した合成樹脂製の食品保存用容器に関する。
【背景技術】
【０００２】
食品を短期又は長期に保存する方法としては、冷蔵保存や冷凍保存がよく知られている。その際の食品の簡便な収納方法としては、プラスチックなどの合成樹脂からなる蓋付容器に収納して保存する方法、皿にのせた食品の上からラップして保存する方法などがある。しかし、これらの方法では食品の乾燥を十分に抑制することができず、結果として食品の食感や食味が大きく損なわれる問題があった。
【０００３】
また、冷蔵保存又は冷凍保存した食品を食す場合には、食品を温めることはよくあり、温める方法として電子レンジを用いたマイクロ波加熱が一般的に行われている。しかし、冷蔵保存又は冷凍保存した食品をマイクロ波加熱で温めると、加熱されやすい部分と加熱されにくい部分が混在し、食品中に加熱むらが発生することがあった。加熱むらは水（５℃）の誘導損失係数（電波エネルギーが吸収されて熱エネルギーに変換される割合）が５〜１５であるのに対し、氷（−１２℃）の誘導損失係数は０．００３であるため、マイクロ波が凍った部分よりも溶けた部分に多く吸収され、温度差が広がることに主に起因する。
【０００４】
冷蔵保存又は冷凍保存した食品をマイクロ波加熱する例として炊飯米が挙げられる。炊飯米の場合、冷蔵保存すると食味が損なわれることが知られているため、一般に冷凍保存が推奨されている。
【０００５】
しかし冷凍保存した炊飯米を容器に封入し冷凍すると、蒸発した水分が冷えて凝結し、容器本体の底部に溜まり込んでしまう。この状態のままマイクロ波加熱すると、底部の炊飯米がその水分を吸収するため、炊飯米の食感、食味等が大きく損なわれることがあった。
【０００６】
このような課題を解決するための手段として、容器の形状に工夫を施した技術が提案されている。例えば、特許文献１では、容器底部に上下に突出する角を有する凸部を設け、容器底部にその凸部で囲まれた平面を形成することで、角を有する凸部にマイクロ波を集中させ、加熱むらをおこさないマイクロ波調理用容器が提案されている。
【０００７】
また、非特許文献１では、容器の内側底部に凸部が設けることにより加熱むらを改善した食品保存用容器が提案されている。また、非特許文献２では、容器本体の内部に穴をあけた内容器を設け、二重構造とした炊飯米保存用容器が提案されている。
【０００８】
特許文献２では、容器本体の底部に水分を保持するための保持空間を備え、炊飯米と水分を分離することを可能にした炊飯米保存用容器が提案されている。
【先行技術文献】
【特許文献】
【０００９】
【特許文献１】特開平９−２１５５９４号公報
【特許文献２】特開２００６‐３０４６７０号公報
【非特許文献】
【００１０】
【非特許文献１】「キチントさんごはん冷凍保存容器」、製品情報、［online］、株式会社クレハ、［平成２５年１１月３０日検索］、インターネット＜URL：http://kurelife.jp/products/ricecontainer/＞
【００１１】
【非特許文献２】「絶品ごはん保存」製品情報、［online］、エビス株式会社ホームページ、［平成２５年１１月３０日検索］、インターネット＜URL：http://www.ebisu-grp.co.jp/products/frozen-storage.html＞
【発明の概要】
【発明が解決しようとする課題】
【００１２】
冷蔵保存又は冷凍保存した食品を、マイクロ波加熱にて簡便に温めて食べるという行為は一般家庭の中で日常的なものであり、再加熱した食品もおいしく食べたいという消費者の要望は高まっており、保存する過程及び再加熱する過程において加熱むらを低減し、食品の食感や食味等を失わせないことが重要な課題となっている。
【００１３】
上記特許文献１及び非特許文献１に開示された容器の形状では、マイクロ波加熱時の加熱むらを改善しているが、冷凍保存により容器底部に凝結した水分が加熱により溶解し、食品に吸収されることで食感や食味が失われる点は課題として残る。
【００１４】
また上記特許文献２及び非特許文献２に開示された容器の形状では、マイクロ波加熱時の加熱むらの改善に加え、容器底部に凝結した水分を食品と分離することができるが、容器本体の大きさに対し、内容器に収容できる食品の容量が少ないため冷凍庫内で嵩張る、使用後に洗いにくい、使用していない時に同一容器を重ねることができず収納性が悪い等の別の課題が存在する。さらに、内容器を設ける構造のため高コストである点もデメリットである。
【００１５】
なお、上記の課題は、炊飯米の保存の場合に限らず、その他の食品についても同様である。例えば冷凍シュウマイや冷凍野菜、冷凍たこ焼きのような冷凍食品を容器に入れて、マイクロ波加熱により解凍、加熱する場合も加熱むらが発生する課題、容器底部に凝結した水分を食品が吸収し、食感や食味を損ねてしまうという課題がある。
【００１６】
上記課題に鑑み、本発明は、冷蔵保存又は冷凍保存された食品をマイクロ波加熱する場合に、食品の加熱むらを抑制するとともに、食品の食感や食味を損なうことない、食品保存用容器を提供することを目的とする。
【課題を解決するための手段】
【００１７】
本発明者は、上記課題を解決するために鋭意検討した結果、水蒸気の凝集伝熱効果に着目し、容器底面及び壁面に凹凸を設け、さらに容器全体の凹部を繋げる構造とすることで、マイクロ波加熱時に食品から発生する水蒸気を容器全体に循環させ加熱むらを低減するとともに、保存中や再加熱中に発生した凝結水を、容器底部において食品と分離できることを見出した。
【００１８】
すなわち、本発明は以下のとおり構成される。
［１］底部と側壁部とからなり上部が開口した食品保存用容器であって、前記側壁部には、気体又は液体の流路が形成され、前記底部は、凹部と凸部とを備え、前記凹部と凸部とにより、前記流路を流れる気体又は液体が循環し又は滞留する循環滞留部が形成された、食品保存用容器。
［２］前記流路は、前記底部に向かって形成された溝状である、上記［１］の食品保存容器。
［３］互いに隣接する前記凸部の頂点間距離が１〜９ｍｍである、上記［２］の食品保存用容器。
［４］前記凹部の深さが０．７〜３ｍｍである、上記［３］の食品保存用容器。
［５］前記凹部により形成される凹部空間の体積は、前記底部の投影面積１００ｃｍ2あたり１〜２５ｃｍ3である、上記［３］又は［４］の食品保存用容器。
［６］前記底面の表面積は、底面の投影面積の１．５倍以上である、上記［３］〜［５］のいずれか１つの食品保存用容器。
【発明の効果】
【００１９】
本発明によれば、冷蔵保存又は冷凍保存された食品をマイクロ波加熱する場合に、食品の加熱むらを低減し、さらに容器底部で凝結した水を食品と分離することで食感や食味の損なうことのない食品保存用容器を得ることができる。
【図面の簡単な説明】
【００２０】
【図１】本発明の実施形態に係る食品保存用容器の全体構成を示す斜視図
【図２】本発明の実施形態に係る食品保存用容器の平面図
【図３】本発明の実施形態に係る食品保存用容器の正面図
【図４】図２のＡ−Ａ´の端面図
【図５】本発明の実施形態に係る食品保存用容器の底部の拡大断面図
【図６】本発明の実施形態に係る食品保存用容器の底部の拡大平面図
【図７】凹部により形成される空間を示す模式図
【図８】凹部により形成される空間を示す模式図
【図９】凹部により形成される空間を示す模式図
【図１０】他の実施形態に係る食品保存用容器の底部の拡大断面図
【図１１】他の実施形態に係る食品保存用容器の底部の拡大平面図
【図１２】他の実施形態に係る食品保存用容器の流路及び尾根部の模式図（縦溝状）
【図１３】他の実施形態に係る食品保存用容器の流路及び尾根部又は凹部及び凸部の模式図（通し目地状）
【図１４】他の実施形態に係る食品保存用容器の流路及び尾根部又は凹部及び凸部の模式図（馬踏み目地状）
【図１５】他の実施形態に係る食品保存用容器の凹部及び凸部の模式図（四半目地状）
【図１６】他の実施形態に係る食品保存用容器の凹部及び凸部の模式図（網代状）
【図１７】他の実施形態に係る食品保存用容器の凹部及び凸部の模式図（バスケット状）
【図１８】他の実施形態に係る食品保存用容器の凹部及び凸部の模式図（三つ目市松状）
【図１９】比較例２に係る食品保存用容器の平面図
【発明を実施するための形態】
【００２１】
必要に応じて図面を参照しつつ、本発明を実施するための形態（以下、「本実施形態」という。）について詳細に説明する。なお、本発明は、以下の実施形態に限定されるものではなく、その要旨の範囲内で種々変形して実施することができる。
【００２２】
食品保存用容器１（以下、単に「容器１」という。）は、主として合成樹脂からなる容器であって、図１乃至４に示すとおり、底部２と底部２の四辺を囲む側壁部３と、側壁部３の上端に形成されたフランジ部４とからなる、上部が開口した箱状体である。
【００２３】
底部２は、特に図４のＡ−Ａ端面図から明らかなとおり、気体又は液体が循環し又は滞留する循環滞留部となる複数の凹部２１と、隣接する凹部２１間に形成された凸部２２とを有する。図２及び図６において平面形状を示す凹部２１は、その断面形状は、図４及び図５に示すとおり半円状であり、全体として球状をなし、凸部２２は、平面視が正方形状であり、断面略台形状をなす。また、底部２は、図１及び図４から明らかなとおり、容器１の長手方向両側に、底部２の面が盛り上がった、段部２３を２つ備える。
【００２４】
側壁部３は、図１乃至図３に示すとおり、容器１のフランジ部４から底部２に向かって垂直方向に、複数の流路３１が形成されている。流路３１は、側壁部３が隆起した凸状の尾根部３２の間に形成されており、側壁部３において溝状に形成される。
【００２５】
側壁部３に形成された流路３１を流れる液体は、底部２の凹部２１に向かい、凹部２１に滞留すると同時に、容器１内に発生した水蒸気等の気体は側壁部３の流路３１から底部２の凹部２１に向かい、凹部２１に流れ込み、循環することができる循環滞留部として構成されている。言い換えれば、流路３１と凹部２１とは、流路として接続された関係にある。
【００２６】
ここで、図５に示すとおり、底部２における凸部２２の頂点間距離Ｌは、１〜９ｍｍであることが好ましい。この範囲であれば、炊飯した米粒が凹部２１に嵌りにくく、使用後の洗浄もしやすい。より好ましくは、凸部２２の頂点間距離Ｌは２〜５ｍｍである。
【００２７】
なお、凸部２２の頂点間距離Ｌは、隣り合う凸部２２の頂点同士の距離を測定した数値である。ここで、凸部２２の頂点とは、凸部２２の断面形状が円弧状や三角形や五角形等、その高さが極大となる部分を持つ場合にはその極大点間の距離を意味し、四角形、六角形等、極大点をもたずに平坦部となる場合は平坦部中央間の距離を意味する。
【００２８】
また、底部２に形成された凹部２１の深さＨは、０．７〜３ｍｍであることが好ましい。深さＨが０．７ｍｍ以上の場合は、例えば炊飯米をマイクロ波にて加熱した際に結露する水分が十分に凹部２１に収容でき、容器１の底部２の炊飯米に吸収されにくく、食味や食感を良好に維持できる。一方、深さＨが３．０ｍｍ以下であると、スポンジや自動食器洗浄機での洗浄で、清潔に洗浄でき、炊飯米と冷凍庫との間の空間（断熱層）が適度であり、澱粉老化温度域（０〜１０℃）での滞留時間が短くなり、炊飯米の食味や食感を良好に維持できる。より好ましくは、凹部２１の深さＨは０．７〜２ｍｍである。
【００２９】
なお、凹部２１の深さＨは、凸部２２の頂点と、隣接する凹部２１の最深点との高低差をいう。
【００３０】
底部２の凹部２１によって形成される空間の体積Ｖは、底部２全体の平面視における投影面積１００ｃｍ2あたり１〜２５ｃｍ3であることが好ましい。この範囲だと、炊飯米をマイクロ波加熱した際に凝結する水分がこの空間に収容しやすく、空間から水分があふれ出すことがなく、炊飯米の底部に触れにくいため、食味や食感を良好に維持できる。
【００３１】
ここで、空間の体積Ｖは、凹部２２が循環滞留部として機能する、つまり、液体が溜まることができる領域を意味する。すなわち、図７乃至図９に３つのパターンとして示すうち、斜線で表した領域が凹部２２によって形成される空間であり、斜線部の体積の合計が、ここにいう体積Ｖになる。図７に示す凹部２１と凸部２２とにより、均等に液溜めが形成されるパターン、図８に示す、凸部２２の頂点の高さが異なり、空間の高さが凹部２１の箇所により異なるパターン、図９に示す、凹部２１及び凸部２２が中央に向かって斜めに形成されており、中央に向かうに連れ、凸部２２の頂点の高さが低くなるとともに、凹部２１の底部も下がっていき、それに伴い、液溜まりとしての凹部２２により形成される空間も変化していくパターンである。
【００３２】
底部２の表面積、すなわち、底部２の凹部２１の面積と、凸部２２の表面積の和は、底部２全体の平面視における投影面積の１．５倍以上であることが好ましい。１．５倍以上であると、食品を容器１内部に入れた際に容器１の底部２への付着面積が小さくなり、内容物の容器１の底部２への付着が軽減され、内容物を取り出しやすい。
【００３３】
容器１の高さ１Ｌ（図３参照）は特に限定されることはなく、食品、例えば炊飯米等を入れて保存できるような最低限の高さであればよいが、２０〜１５０ｍｍであると、マイクロ波での加熱の効率が良いため、好ましい。また、本実施形態の容器１の底部２および開口の面積には特に制限はないが、底部２の長手方向長さが３００ｍｍ以下であると、家庭用冷蔵庫や食器棚に収納することが容易となるため好ましい。
【００３４】
また、本実施形態において、容器１は、前述のとおり、合成樹脂製であることが好ましい。合成樹脂製であれば、冷蔵、冷凍保存ができ、且つそのままマイクロ波加熱することが可能である。合成樹脂材料としては、特に限定されず、例えば低密度ポリエチレン（ＬＤＰＥ）、高密度ポリエチレン（ＨＤＰＥ）、ポリスチレン、結晶性ポリエチレンテレフタレート、非晶質ポリエチレンテレフタレート、ポリ塩化ビニル、ポリカーボネート、およびポリプロピレン等が挙げられる。また、前記合成樹脂材料は単一でも複数の組み合わせでもよい。中でもポリプロピレンは耐熱性、耐寒性、成形加工性、コスト面で優れており、好ましい。
【００３５】
また、容器１の成型加工法は周知の技法を使用すればよく、例えば熱成形、射出成形、真空成形等が挙げられる。真空成型法で成形加工する場合、成形前のシート厚みは０．８〜２．５ｍｍであると熱伝導性を保ち、かつ水分バリア性、臭気バリア性を十分に有するため、収容した食品の乾燥や冷凍臭の付着を防止できるため好ましい。
【００３６】
ここで、図６の拡大図に示したとおり、底部２に設けられた凹部２１の形状としては正方形状を示したが、本発明はこのような態様に限られず、任意の形状を選択可能である。例えば、円形、楕円形、長方形、菱形、三角形、多角形等の幾何模様だけでなく、星型、ハート型、俵型、ダイヤ型等の意匠性を含む形状などが挙げられ、単一形状、又は複数種類の形状を同時に用いてもよい。
【００３７】
また、底部２に設けられた凸部２２の断面の形状も、図５に示した態様のほか、同様に任意の形状を選択可能であり、例えば図１０及び図１１に示すとおり、凹部２１及び凸部２２のいずれもが断面円形で構成することも可能である。なお、容器１内に収容する食品、特に炊飯米の底部２への密着を防ぐことを目的とした場合は、凸部２２の断面の形状は、円形、三角形又は四角形であることが好ましい。
【００３８】
一方、側壁部３に形成された流路３１及び尾根部３２の形状としては、種々考えられるが、容器１全体への水蒸気の循環を促す理由で壁面に設置された流路３１がフランジ部４側から底部２に向かって一連の流れを形成する形状であることが好ましい。そのため、流路３１の正面視形状としては、例えば、図１２〜１５に模式的に示すように、縦溝状、通し目地状、馬踏み目地状、四半目地状が挙げられる。
【００３９】
底部２に設置された凸部２２は、底部２内面の少なくとも一部に複数独立して配置されている。この際の配列方法は特に限定されないが、凹部２１が形成する空間が一連に繋がっている構造であると、水蒸気を容器全体に循環できるため好ましい。このような構造の他の態様として、例えば図１３〜１８に示すとおり、平面視で、通し目地状、馬踏み目地状、四半目地状、網代状、バスケット状、三つ目市松状等が挙げられる。
【００４０】
なお、図１及び図４を用いて示したとおり、容器１の長手方向両側に、底部２の面が盛り上がった段部２３を形成しているが、本発明では、課題の解決を損なわない範囲において、容器１の底部２の一部又は複数部分を内容物側に隆起させる段部２３を形成することができる。また、本発明の課題の解決を損なわない範囲で、本実施形態の容器本体の他に、ざる、蒸気弁、水抜き栓、水分吸収層、内蓋等の副資材を設置することができる。
【００４１】
本実施形態の容器１の形状は特に限定されず、食品、例えば炊飯米等を入れて保存できるような形状であれば、正方形、長方形、円形、小判型、椀型等、どのような形状であってもよい。また、容器１に組み合わせる蓋は、容器１のフランジ部４と嵌合した際に適度な密閉性があることが好ましい。これにより、可能な限り容器１外部の空気が容器内に入らないようにでき、また、容器１が横転した際に容器の内容物の漏洩を可能な限り防ぐことができる。
【実施例１】
【００４２】
以下、実施例により本実施形態を詳細に説明するが、本実施形態はこれらの実施例のみに限定されるものではない。
【００４３】
実施例及び比較例で用意した食品保存用容器の製造方法は以下のとおりである。
ポリプロピレン製シート（厚み１．２ｍｍ）を真空成型法により、図１乃至３に示す形状の食品保存用容器１を製造した。
【００４４】
得られた食品保存用容器１の各寸法は表１に記載した。寸法の測定法は下記のとおりである。
＜頂点間距離の測定＞
頂点間距離Ｌ（図５参照）の測定は前記頂点のうち、隣り合う頂点を二つ以上含むように小型カッターにて１ｍｍ厚さの切片を切り取り、その断面をマイクロスコープにて観察した際に隣り合う頂点同士の距離を測定した。
【００４５】
＜凹部の深さの測定＞
凹部２１の深さＨ（図５参照）は、頂点間距離Ｌの測定と同様の方法で作成した切片の断面をマイクロスコープにて観察した際に凸部２２の頂点と、この凸部２２と隣り合う凹部２１の最も深さ方向に凹んだ部分との高低差を測定した。
【００４６】
＜投影面積の計算方法＞
投影面積は、容器１の底面投影図の底部２の短手方向長さ及び長手方向長さの実測寸法を、ノギスを用いて測定し、これらを掛け合わせることにより算出した。
【００４７】
＜底部と底部に設置された凹部及び凸部から形成される空間の体積の計算方法＞
凸部２２の頂点距離の測定および凹部２１の深さＨの測定で測定した頂点間距離Ｌ及び凹部２１の深さＨの測定結果より算出した。
また、実施例及び比較例で用いた炊飯米の調整法、評価方法は下記のとおりである。
【００４８】
＜米飯の調製法＞
実施例及び比較例の食品保存用容器１を用い、以下の手順（１）〜（５）により保存米飯を調製した。
【００４９】
（１）      炊飯：三重県産コシヒカリ無洗米６００ｇに水道水７９８ｇ（無洗米重量の１．３３倍）をＩＨ電気釜（象印製）の無洗米コースを選択し、炊飯した。
（２）      充填：（１）の方法で炊飯後、直ちに釜の中の炊飯米が均一になるように杓文字でよく混ぜ、そのうち１８０ｇを食品保存容器に容器内部の炊飯米が均一な厚みになるように充填し、容器を密閉できる構造をもつ蓋を用いて密閉した。
（３）      放冷：密閉後の炊飯米を室温（２３℃）にて３０分放冷した。
（４）      冷凍：容器内の炊飯米が６０℃以下となったことを確認後、冷蔵庫（日立  ＲＧ５７００Ｇ）の冷凍室内にて１８時間冷凍保存した。
（５）      再加熱：以上の手法にて冷凍した冷凍米を電子レンジ（ＳＨＡＲＰ社製 ＲＥ−２６Ａ）を出力５００Ｗに設定し、３分間加熱した。
【００５０】
＜冷凍保存後の米飯食味の官能試験＞
２０代〜５０代の主婦１００人によって米飯の官能評価を行った。前記の米飯の調製法にて調製した米飯を取り出して厚み方向で２分割し、充填方向の上半分に相当する上部と下半分に相当する下部とに分けた。
【００５１】
実施例と比較例それぞれの上部と下部のそれぞれの米飯について、粒感（粒を認識できる感じ）、ふっくら感（米中央部の柔らかさ）、粘り（米中央部の柔らかさ）、硬さ、好ましさについて、炊飯後１時間以内の炊きたての炊飯米を５点として、これを基準として１点〜５点で評価した。評価基準を表２に示す。
【００５２】
［評価］
１００人のパネラーの評価の平均値を算出し、下記基準にて評価した。
◎：４点≦平均値≦５点
○：３点≦平均値＜４点
△：２点≦平均値＜３点
×：１点≦平均値＜２点
【００５３】
＜容器底部の米飯の水分率測定法と評価法＞
前記の方法で調整した米飯を取り出し、充填方向上の底部分表面部の米粒２．０ｇ、前記の方法で炊飯した炊飯後５分以内の炊きたての炊飯米２．０ｇを採取し、それぞれ加熱乾燥式水分計（Ａ  ａｎｄ  Ｄ社 ＭＳ−７０）を急速モードにて、試料皿温度１４０℃、測定精度ＭＩＤ．モード、終了条件０．１０％／ｍｉｎに設定し、水分率を測定し、下式（１）により、保存米飯の水分率の変化量を求めた。
【００５４】
水分率変化量（底部）＝水分率測定値（底部）−水分率測定値（炊きたて）・・・（１）
保存米飯の水分率が炊きたての炊飯米に近い場合は水分率変化量≒０となり、水分率変化量＜０となる場合には炊きたての炊飯米よりも乾燥しており、硬い米飯となる。逆に水分率変化量＞０となる場合には、水分が過多であり、ベチャついた米飯となる。
【００５５】
［評価］
前記水分率変化量の絶対値で評価した。なお『｜水分率変化量｜』とは水分率変化量の絶対値を意味する。
◎：０≦｜水分率変化量｜＜２
○：２≦｜水分率変化量｜＜３
△：３≦｜水分率変化量｜＜５
×：５≦｜水分率変化量｜
【００５６】
＜加熱むらの評価法＞
加熱むらはヨウ素澱粉反応を用いた方法にて評価を行った。
澱粉のり５０ｇを水道水１５０ｇに溶解した糊水を調製した。この糊水のうち４０ｇを前記の米飯調製法（１）にて調製した炊飯米２００ｇを加えてよくかき混ぜ、炊飯米の粒が糊水で均一にコーティングされた状態とした。ここにヨウ素溶液４．０ｇを滴下し、炊飯米全体が均一な紫色になるまでよくかき混ぜた。以上の方法で調製した紫色の米飯のうち１８０ｇを前記の米飯調製法（２）（３）と同様の方法で食品保存容器に充填し、前記米飯調製法（４）と同様の方法で冷凍保存した。以上の方法で調製した冷凍米を出力５００Ｗに設定した前記の電子レンジにて、２分３０秒間加熱した。
以上の方法で調製した米飯を食品保存用容器１より取り出し、紫色の呈色反応が消失し、白くなった部分の重量の割合を下式（２）にて算出し、これを加熱むらとした。
加熱むら＝（米飯の白い部分の重量（ｇ）／１８０ｇ）×１００・・・（２）
【００５７】
［評価］
前記方法で算出された加熱むらについて、下記基準にて評価した。
◎：７５＜加熱むら≦１００
○：５０＜加熱むら≦７５
△：２５＜加熱むら≦５０
×：０≦加熱むら≦２５
【００５８】
＜澱粉付着度＞
前記の米飯調製法にて調製した米飯を取り出した後の食品保存用容器１にヨウ素溶液を水道水にて３０倍に希釈したものを容器全体に滴下し、ヨウ素澱粉反応で紫色に変色した面積を画像解析により測定し、呈色反応のあった面積の割合を下式（３）にて算出し、これを澱粉付着度とした。
澱粉付着度＝（呈色部面積／底面投影面積）×１００・・・（３）
【００５９】
［評価］
前記方法で算出された澱粉付着度について、下記基準にて評価した。
◎：０≦澱粉付着度＜２５
○：２５≦澱粉付着度＜５０
△：５０≦澱粉付着度＜７５
×：７５≦澱粉付着度≦１００
【００６０】
＜洗いやすさ＞
２０代〜５０代の主婦１００人によって食品保存用容器の洗いやすさの官能評価を行った。前記の米飯調製法にて調製した米飯を取り出した後の食品保存用容器を食器洗い用スポンジ（３Ｍ社、スコッチ・ブライトTM抗菌ウレタンスポンジＳ‐２１ＫＳ）に水道水を含浸させ食器用洗剤（旭化成ホームプロダクツ株式会社フロッシュRアロエベラ）を３滴滴下し、容器内部を洗った時の洗いやすさ（スポンジの当たり方）について、底面及び壁面に凹凸が無いこと以外は実施例および比較例と同様の形状の保存容器（比較例１と同じもの）に対して同様の試験を行った際を５点として、これを基準として１点〜５点で評価した。
【００６１】
［評価］
１００人のパネラーの評価の平均値を算出し、下記基準にて評価した。
◎：４点≦平均値≦５点
○：３点≦平均値＜４点
△：２点≦平均値＜３点
×：１点≦平均値＜２点
【００６２】
各実施例及び比較例についての詳細を以下に述べる。
［実施例１］
前記製造方法にて、側壁部３に設置された流路３１を流れる液体が、底部２に形成された凹部２１に液溜めとして滞留し、かつ水蒸気が流路３１と凹部２１を循環することができる循環滞留部となる関係、すなわち、流路３１と凹部２１が接続されている食品保存用容器１を得た。各サイズは表１に示したとおりである。
【００６３】
評価結果を表１に示す。米飯の食味、容器１の底部２における水分率、加熱むら、澱粉付着度、洗いやすさいずれの項目についても良好な結果であった。
【００６４】
［実施例２］
底部２における凹部２１の深さＨが１．５ｍｍである以外は前記実施例１と同様の形状の食品保存用容器１を製造し、実施例１と同様の評価を行った結果を表１に示す。米飯の食味、容器１の底部２における水分率、加熱むら、澱粉付着度、洗いやすさいずれの項目についても良好な結果であった。
【００６５】
［実施例３］
底部２における凹部２１の深さＨが３．０ｍｍである以外は前記実施例１と同様の形状の食品保存用容器を製造し、実施例１と同様の評価を行った結果を表１に示す。米飯の食味、容器１の底部２における水分率、加熱むら、澱粉付着度、洗いやすさいずれの項目についても良好な結果であった。
【００６６】
［実施例４］
底部２における凹部２１の深さＨが４．０ｍｍである以外は前記実施例１と同様の形状の食品保存用容器を製造し、実施例１と同様の評価を行った結果を表１に示す。米飯の食味、容器１の底部２における水分率、加熱むらは良好な結果であったが、底部２に設けられた凹部２１の深さが深いため、底面凹部２１に嵌まり込んだ澱粉汚れがスポンジによる洗浄では十分に落とし切れず、澱粉付着度、洗いやすさが不十分であり、不適であった。
【００６７】
［実施例５］
底部２における凹部２１の深さＨが０．５ｍｍである以外は前記実施例１と同様の形状の食品保存用容器を製造し、実施例１と同様の評価を行った結果を表１に示す。米飯の加熱むらが大きく、且つ容器１の底部２における水分率が高く、べたついた米飯となり、不適であった。
【００６８】
［実施例６］
底部２における凸部２２の頂点間距離Ｌが０．５ｍｍであり、底部２における凹部２１の深さＨが１．５ｍｍ、かつ底部２の凸部２１の頂点の正方形の１辺の長さが０．２ｍｍである以外は前記実施例１と同様の形状の食品保存用容器を製造し、実施例１と同様の評価を行った結果を表１に示す。米飯の食味、容器１の底部２における水分率、加熱むらは良好な結果であったが、底部２に設けられた凹部２１の深さが深いため、底面凹部２１に嵌まり込んだ澱粉汚れがスポンジによる洗浄では十分に落とし切れず、澱粉付着度、洗いやすさが不適であった。
【００６９】
［実施例７］
底部２における凸部２２の頂点間距離Ｌが１．０ｍｍであり、底面凹凸の深さが１．５ｍｍ、かつ底部２の凸部２１の頂点の正方形の１辺の長さが０．５ｍｍである以外は前記実施例１と同様の形状の食品保存用容器を製造し、実施例１と同様の評価を行った結果を表１に示す。米飯の食味、容器１の底部２における水分率、加熱むら、澱粉付着度、洗いやすさいずれの項目についても良好な結果であった。
【００７０】
［実施例８］
底部２における凸部２２の頂点間距離Ｌが２．０ｍｍであり、底部２における凹部２１の深さＨが２．０ｍｍ、かつ底部２の凸部２１の頂点の正方形の１辺の長さが１．０ｍｍである以外は前記実施例１と同様の形状の食品保存用容器を製造し、実施例１と同様の評価を行った結果を表１に示す。米飯の食味、容器１の底部２における水分率、加熱むら、澱粉付着度、洗いやすさいずれの項目についても良好な結果であった。
【００７１】
［実施例９］
底部２における凸部２２の頂点間距離Ｌが５．０ｍｍであり、底部２における凹部２１の深さＨが１．５ｍｍである以外は前記実施例１と同様の形状の食品保存用容器を製造し、実施例１と同様の評価を行った結果を表１に示す。米飯の食味、容器１の底部２における水分率、加熱むら、澱粉付着度、洗いやすさいずれの項目についても良好な結果であった。
【００７２】
［実施例１０］
底部２における凸部２２の頂点間距離Ｌが９．０ｍｍであり、底部２における凹部２１の深さＨが１．５ｍｍである以外は前記実施例１と同様の形状の食品保存用容器を製造し、実施例１と同様の評価を行った結果を表１に示す。米飯の食味、容器１の底部２における水分率、加熱むら、澱粉付着度、洗いやすさいずれの項目についても良好な結果であった。
【００７３】
［実施例１１］
底部２における凸部２２の頂点間距離Ｌが１０．０ｍｍであり、底部２における凹部２１の深さＨが１．５ｍｍである以外は前記実施例１と同様の形状の食品保存用容器を製造し、実施例１と同様の評価を行った。底面に設置された凹部に米粒が嵌まり込み、米飯が完全に容器底部に付着した状態となったため、米飯の食味、容器１の底部２における水分率、加熱むら、澱粉付着度、洗いやすさいずれの項目についても不適であった。
【００７４】
［実施例１２］
底部２における凹部２１及び凸部２２の形状が半球状であり、その半球状の凸部２２の平面視半径が１．５ｍｍである以外は前記実施例１と同様の形状の食品保存用容器１を製造し、実施例１と同様の評価を行った結果を表１に示す。米飯の食味、容器１の底部２における水分率、加熱むら、澱粉付着度、洗いやすさいずれの項目についても良好な結果であった。
【００７５】
［実施例１３］
底部２における凹部２１及び凸部２２の形状が半球状であり、その半球状の凸部２２の平面視半径が１．１５ｍｍであり、底部２における凹部２１の深さＨが０．７ｍｍである以外は前記実施例１と同様の形状の食品保存用容器１を製造し、実施例１と同様の評価を行った結果を表１に示す。米飯の食味、容器１の底部２における水分率、加熱むら、澱粉付着度、洗いやすさいずれの項目についても良好な結果であった。
【００７６】
［比較例１］
底部２及び側壁部３に凹凸が無く、平面であること以外は前記実施例１と同様の食品用保存容器を製造し、実施例１と同様の方法で評価を行った結果を表１に示す。スポンジでの洗いやすさは高評価であったが、米飯の加熱むらが大きく、且つ容器１の底部２における水分率が高く、べたついた米飯となり、不適であった。
【００７７】
［比較例２］
図１９に示すように、側壁部３に設けられた流路３１と尾根部３２と底部２における凹部２１と凸部２２との境界に平滑面をなす平面部５が介在し、流路３１と凹部２１とが接続されていない以外は前記実施例１と同様の形状の食品保存用容器を製造し、実施例１と同様の評価を行った結果を表１に示す。容器１の底部２における水分率は良好であったが、米飯の食味、加熱むらは不適であった。
【表１】
2017105540.tif 000003
【００７８】
【表２】
2017105540.tif 000004
【符号の説明】
【００７９】
１  食品保存用容器
２  底部
２１  凹部
２２  凸部
３  側壁部
３１  流路
３２  尾根部
４  フランジ部
５  平面部
【図１】
2017105540.tif 000005
【図２】
2017105540.tif 000006
【図３】
2017105540.tif 000007
【図４】
2017105540.tif 000008
【図５】
2017105540.tif 000009
【図６】
2017105540.tif 000010
【図７】
2017105540.tif 000011
【図８】
2017105540.tif 000012
【図９】
2017105540.tif 000013
【図１０】
2017105540.tif 000014
【図１１】
2017105540.tif 000015
【図１２】
2017105540.tif 000016
【図１３】
2017105540.tif 000017
【図１４】
2017105540.tif 000018
【図１５】
2017105540.tif 000019
【図１６】
2017105540.tif 000020
【図１７】
2017105540.tif 000021
【図１８】
2017105540.tif 000022
【図１９】
2017105540.tif 000023